(57)【要約】  車両の腰部ベルトは、それぞれベルトの対向する端部に配置された１対のブラケット、ブラケット間に延在するプラットフォーム、およびプラットフォームをブラケットに接続する蝶番を有する。ボーデンケーブルがブラケットの間に延在して、それを第１位置から第２位置へと相互に向かって引っ張る。蝶番は、ブラケットの対およびプラットフォームより高い可撓性を有する一体蝶番である。相互に向かって移動するブラケットに応答して、蝶番がプラットフォームおよびブラケットに対して回動し、プラットフォームをブラケットから延在させる。ばねがベルトの端部をシートフレームの側部に接続する。【選択図】なし
2008539994.tif 000002
【特許請求の範囲】
【請求項１】
収縮位置および伸張位置を有するプラットフォームと、
１対のブラケットと、
前記プラットフォームの対向する側で、それぞれ前記ブラケットを前記プラットフォームに接続する１対の蝶番部とを備え、前記蝶番部がそれぞれブラケット蝶番、プラットフォーム蝶番、および前記ブラケット蝶番と前記プラットフォーム蝶番の間の伸張要素を有し、さらに、
前記ブラケットの対を相互に向かって移動させる手段を備え、前記蝶番部が前記ブラケットの対に対して回動し、前記プラットフォームが前記収縮位置から前記伸張位置へと移動する、
シートの腰部支持体。
【請求項２】
前記移動手段が前記ブラケットの対の間に延在するボーデンケーブルで構成され、前記ボーデンケーブルが、前記ブラケットの対の一方に接続された外部被覆と、前記ブラケットの対の他方と接続されたワイヤ芯とを備え、前記ボーデンケーブルが、前記ブラケットの対を相互に向かって引っ張り、前記プラットフォームが前記ブラケットの対から延在し、前記蝶番部が前記プラットフォームおよび前記ブラケットの対に対して回動する、請求項１に記載の腰部支持体。
【請求項３】
さらに、前記ブラケットの対の一方に取り付けられたプーリを備え、前記ワイヤ芯が前記プーリに巻き付く、請求項２に記載の腰部支持体。
【請求項４】
前記プラットフォームが縦方向に配向されて窪んだ中心通路を備える、請求項１に記載の腰部支持体。
【請求項５】
前記プラットフォームがさらに、前記蝶番部の対を越えて前記ブラケットに向かって延在する横リブを備える、請求項４に記載の腰部支持体。
【請求項６】
前記蝶番部の対が、前記プラットフォームおよび前記ブラケットの対と一体形成された１対の一体蝶番で構成され、前記ブラケットの対および前記プラットフォームより高い可撓性を有する、請求項１に記載の腰部支持体。
【請求項７】
さらに、それぞれ前記ブラケットの対をシートの対向する側に接続する１対のばねを備える、請求項１に記載の腰部支持体。
【請求項８】
さらに、それぞれ前記ばねの対をシートの対向する側に固定するシートフレームを備える、請求項７に記載の腰部支持体。
【請求項９】
前記プラットフォームが中心線を備え、前記中心線は、前記ブラケットの対が相互に向かって移動し、前記プラットフォームが前記ブラケットの対から伸張しても、前記シートフレームの間で実質的に等距離のままである、請求項８に記載の腰部支持体。
【請求項１０】
さらに、前記ばねの対から縦方向に離間され、それぞれ前記ブラケットの対をシートの対向する側に接続する別の対のばねを備える、請求項７に記載の腰部支持体。
【請求項１１】
対向する端部、プラットフォーム、それぞれ自身の前記対向する端部に配置された１対のブラケット、およびそれぞれ前記ブラケットの対を前記プラットフォームに接続する１対の一体蝶番を有するベルトと、
前記ブラケットの対の間に延在し、前記ブラケットの対の一方に接続された外部被覆、および前記ブラケットの対の他方に接続されたワイヤ芯を備え、前記一体蝶番が前記ブラケットおよび前記プラットフォームに対して回動すると、前記ブラケットの対を相互に向かって引っ張り、前記プラットフォームが前記ブラケットの対から延在するボーデンケーブルと、を備える
シートの腰部支持体。
【請求項１２】
前記一体蝶番がそれぞれブラケット蝶番、プラットフォーム蝶番およびその間の伸張要素を備える、請求項１１に記載の腰部支持体。
【請求項１３】
さらに、それぞれ前記ベルトの対向する端部に取り付けられた１対のばねを備える、請求項１１に記載の腰部支持体。
【請求項１４】
さらに、それぞれ前記ばねの対をシートの対向する側に固定するシートフレームを備える、請求項１３に記載の腰部支持体。
【請求項１５】
前記プラットフォームが中心線を備え、前記中心線は、前記ボーデンケーブルが前記ブラケットの対を相互に向かって引っ張り、前記プラットフォームが前記ブラケットの対から延在しても、前記シートフレームの間で実質的に等距離のままである、請求項１４に記載の腰部支持体。
【請求項１６】
対向する端部を有し、それぞれ前記対向する端部に配置された１対のブラケット、前記ブラケットの対の間に延在するプラットフォーム、および前記プラットフォームを前記ブラケットの対に接続する１対の蝶番部を備え、前記蝶番部の対が前記ブラケットの対および前記プラットフォームより高い可撓性を有するベルトと、
それぞれ前記ベルトの前記対向する端部に取り付けられた１対のばねと、
前記ブラケットの対の間に延在し、前記ブラケットの対の一方に接続された外部被覆、および前記ブラケットの対の他方に接続されたワイヤ芯を備え、前記蝶番部が前記プラットフォームおよび前記ブラケットの対に対して回動すると、前記ブラケットの対を相互に向かって引っ張り、前記プラットフォームが前記ブラケットの対から延在するボーデンケーブルと、を備える
シートの腰部支持体。
【請求項１７】
さらに、それぞれ前記ばねの対をシートの対向する側に固定するシートフレームを備える、請求項１６に記載の腰部支持体。
【請求項１８】
前記ベルトが中心線を備え、前記中心線は、前記ボーデンケーブルが前記ブラケットの対を相互に向かって引っ張り、前記プラットフォームが前記ブラケットの対から延在しても、前記シートフレームの間で実質的に等距離のままである、請求項１６に記載の腰部支持体。
【請求項１９】
前記蝶番部の対が、前記プラットフォームおよび前記ブラケットの対と一体形成された１対の一体蝶番で構成され、前記一体蝶番がそれぞれブラケット蝶番、プラットフォーム蝶番、および前記ブラケット蝶番と前記プラットフォーム蝶番の間の蝶番伸張部を備える、請求項１６に記載の腰部支持体。
【請求項２０】
さらに、前記ブラケットの対の一方に取り付けられたプーリを備え、前記ワイヤ芯が前記プーリに巻き付く、請求項１６に記載の腰部支持体。
【発明の詳細な説明】
【技術分野】
【０００１】
本出願は２００５年５月１８日に出願され、参照により本明細書に組み込まれる米国特許出願第６０／６８２，２２８号に対する優先権を主張する。
【０００２】
本発明は、シートの腰部支持体、特に腰部ベルト装置に関する。
【背景技術】
【０００３】
シートシステムには、既に多くの異なる腰部支持機構が知られている。米国特許第６，００３，９４１号および第５，５１８，２９４号で説明し、図示しているように、構造を弓なりにして曲率を増加させることによって、腰部領域の支持を増加させる機構もあり、米国特許第６，９０８，１５２号および第２００４／０１０８７６０号で説明し、図示しているように、支持構造を前方に移動または回動させて、腰部領域に入れる機構もあり、さらに、米国特許第１１／２９５，４２５号で説明し、図示して、一般的にストラップまたはベルトと呼ばれているように、シートの側部の間で支持構造をきつく引くことによって機能する機構もある。
【発明の開示】
【発明が解決しようとする課題】
【０００４】
十分な支持を提供してきた多くの機構があっても、シート構造の設計における強力で経済的、コンパクトな構成要素、さらに構成要素組立の経済性、速度および効率の向上など、シート組立手順を改善する機構に対して、引き続き要求がある。
【課題を解決するための手段】
【０００５】
本発明は、アーチ形腰部およびパドル形腰部の態様を組み込んだ腰部ベルト装置である。腰部ベルトは、それぞれベルトの反対端部に配置された１対のブラケット、ブラケット間に延在するプラットフォーム、およびプラットフォームをブラケットに接続する１対の蝶番を含む。ボーデンケーブルまたは他の牽引装置がブラケット間に延在し、相互に向かって引っ張る。それに応答して、蝶番がプラットフォームおよびブラケットに対して回動し、それによってプラットフォームを延在させ、ブラケットから離す。蝶番は、ブラケットの対およびプラットフォームよりも高い可撓性を有する。したがって、ボーデンケーブルがブラケットを相互に向かって引っ張ると、プラットフォームは蝶番間の距離を維持し、したがって蝶番が回動して、プラットフォームをブラケットから押し離す。ブラケットは、１対のばねを通してシートフレームの対向する側部に接続することが好ましい。１つの実施形態では、ボーデンケーブルの外部被覆およびワイヤ芯は、反対側のブラケットに直接接続される。別の実施形態では、プーリがブラケットの一方に接続され、ワイヤ芯がプーリに巻き付く。
【０００６】
本発明のさらなる適用範囲は、以降に提供する詳細な説明から明白になる。詳細な説明および特定の実施例は、本発明の特定の実施形態を示しているが、例示のみを目的とし、本発明の範囲を制限するものではないことを理解されたい。
【発明を実施するための最良の形態】
【０００７】
図１から図３で大体図示されているように、腰部ベルト１０は１対のブラケットを有し、これはそれぞれ腰部ベルト１０の反対端に配置され、シートフレーム１４に接続する。プラットフォーム１６がブラケット１２間に延在し、１対の蝶番部１８がそれぞれブラケット１２をプラットフォーム１６に接続する。牽引要素はボーデンケーブル２０が好ましく、これがブラケット１２を、シートフレーム１４に近い位置から相互に向かって、シートフレーム１４の中心にさらに近い位置に向かって移動させる。概して、蝶番部１８は、ブラケット１２の対およびプラットフォーム１６より高い可撓性を有する。したがって、相互に向かって移動するブラケット１２に応答して、蝶番部１８がプラットフォーム１６およびブラケット１２に対して回動し、その結果、プラットフォーム１６がブラケット１２から離れて延在する。蝶番部１８はそれぞれ、ブラケット蝶番１８ａ、プラットフォーム蝶番１８ｂ、およびブラケット蝶番１８ａとブラケット蝶番１８ｂの間の伸張要素１８ｃを含むことが好ましい。
【０００８】
ブラケット１２は、個々のばね２２の対を通してシートフレーム１４の対向する側に接続することが好ましい。少なくともブラケット１２が相互に対して移動できるようにする、ある程度の自由を提供する代替接続部を使用することもできる。したがって、ブラケット１２とシートフレーム１４の間の接続部はいずれも、ボーデンケーブル２０がブラケット１２間に延在し、相互に引っ張るように、ブラケット１２を移動可能にしなければならない。ブラケット１２が相互に向かって移動するにつれ、ブラケット蝶番１８ａも相互に向かって移動する。しかし、プラットフォーム蝶番１８ｂ間の距離は変化しないままである。というのは、上記で検討したように、プラットフォーム１６は蝶番部１８より剛性が高く、したがって間の距離を維持するからである。蝶番部１８が回動するにつれ、それはプラットフォーム１６をブラケット１２から押し離す。ブラケット蝶番１８ａとプラットフォーム蝶番１８ｂの両方の間にある伸張要素１８ｃによって、様々な方法、およびアーチ形腰部支持装置およびパドル形腰部支持装置内の機械的要素の幾つかの様々な協働関係を使用して、プラットフォーム１６は一様に、つまり支持体の中心部分が弓なりになったり、支持体がシートバックへと回動したりせずに収縮位置５２から伸張位置５０へと動作することができる。
【０００９】
これらの実施形態で開示した蝶番１８は、伸張要素１８ｃの全長に沿って連続的であるが、蝶番伸張部の各側で複数の蝶番部の間に不連続部があってもよいことが認識される。図７に示し、以下で詳細に検討するように、ブラケットおよびプラットフォーム蝶番１８ａ、１８ｂは、プラットフォーム１６およびブラケット１２と一体形成された一体蝶番であることが好ましい。あるいは、腰部ベルト１０の１つまたは複数の部分を、任意のタイプの締結手段を通して他の部分と接続することができる。例えば図５に示すように、腰部ベルト１０のプラットフォーム１６およびブラケット１２部分は、リベット２４または任意の他の締結具を使用して、蝶番部１８に締結することができる。背骨を解放するために、プラットフォーム１６は、米国特許第１１／２９５，４２５号に記載され、参照により本明細書に組み込まれる縦方向の窪んだ中心通路２６を含むことが好ましい。プラットフォーム１６は、蝶番部１８を越えてブラケット１２に向かって延在する横リブ２８も含むことができる。
【００１０】
概して、一体蝶番１８ａ、１８ｂは、これが接続されている部品の２つの厚い方の部分３２より薄い３０ａ材料部分３０を有する。薄い方の部分３０ａによって、部品の厚い方の部分３２が相互に対して回動することができる。通常、一体蝶番１８ａ、１８ｂの作成に使用する材料は、ポリプロピレンおよびポリエチレンなどの軟質プラスチックであり、破損せずに１００万回以上撓むことができる。一体蝶番１８ａ、１８ｂによって接続された厚い方の部分３２は、薄い方の蝶番部分３０ａよりはるかに剛性であることが認識される。薄い方の部分３０ａは、一方側にわずかな窪み３０ｂがあり、他方側にこれより深い半径３０ｃがある状態で、厚い方の部分３２の間に延在することが好ましい。これらの構造的ガイドラインに加えて、一体蝶番１８ａ、１８ｂは、満足なライフサイクルを提供するために分子が蝶番の線に沿って配向されるように形成しなければならない。
【００１１】
ボーデンケーブル２０は、本発明による様々な異なる構成でブラケット１２に接続することができる。例えば、図１から図６に示した実施形態では、ボーデンケーブルの外部被覆３４およびワイヤ芯３６が対向するブラケット１２に直接接続される。図８から図９に示す実施形態では、プーリ３８をブラケット１２の１つに接続し、ワイヤ芯３６をプーリ３８に巻き付けることによって、システムに機械的利点を追加する。また、外部被覆３４は、それぞれ図４および図５に示すように、棒４０を通してブラケットに接続するか、ブラケット内に形成されたベース４２に直接接続することができる。ワイヤ芯３６は、フック３６ａ（図４および図５）、止め部（図８）、ノジュール（図１）、または他のブラケット１２に接続する他の取り付け要素を含むことが好ましい。ボーデンケーブル２０は、様々なタイプのアクチュエータアセンブリを使用して操作できることも認識される。図４に示すように、アクチュエータ４４は手動ドライブ４６でよい。あるいは、図８に示すようにアクチュエータは動力ドライブ４８でよい。
【００１２】
ブラケットを相互に向かって押しやるために、アクチュエータ４４はボーデンケーブル２０を通して牽引力を伝達する。本発明の腰部ベルト１０は、牽引アクチュエータアセンブリを使用することが好ましいが、推進力を供給するものを含め、他のタイプのアクチュエータアセンブリを使用してもよい。例えば、１タイプの推進アクチュエータアセンブリとして、ねじアクチュエータ（図示せず）がねじ山を切った棒（図示せず）に係合して、ブラケットを相互に向かって押すことができる。同様に、牽引力は、ねじ棒で加えることもでき、これは代替的にブラケットを相互に向かって引っ張ることができる。したがって、以上で詳細に検討したように、ブラケット１２を相互に向かって移動させる任意の手段が、蝶番部１８をブラケット１２に対して回動させ、その結果、プラットフォーム１６が収縮位置５２から伸張位置５０へと前方へ移動する。
【００１３】
以上で検討し、図５に示すように、１対のばね２２が個々のブラケット１２をシートフレーム１４の対向する側に接続することができる。１対のばね２２を使用する場合は、参照により本明細書に組み込まれる米国特許第６０／６８６５７９号に開示されているように、回動防止伸張部をブラケットに追加すると有利である。図６に示すように、ブラケットを接続するために、フレーム１４の各側に１対のばね２２を代替的に使用することができる。したがって、１組のばね２２は、別の組のばね２２から縦方向に離間することができる。
【００１４】
本発明の腰部ベルト１０の設計によれば、ばね２２を使用してブラケット１２をシートフレーム１４に接続することが好ましい。というのは、これによって腰部ベルト１０を複数の自由度で同時に起動できるからである。特に、ブラケット１２間の張力を増加させることにより、ばね２２に追加の張力が与えられ、ブラケット１２を含む腰部ベルト１０全体が収縮位置５２から伸張位置５０へとシート占有者に向かって前方へ移動する。また、一体蝶番１８ａ、１８ｂはブラケット１２およびプラットフォーム１６より可撓性が高いので、プラットフォーム１６は、ブラケットの外側への動作よりもさらにシート占有者に向かって移動する。したがって、本発明は、ブラケット１２が相互から離れる場合に、収縮位置５２で薄い輪郭を提供し、ストラップ腰部のみを締め付ける場合よりも大きい頂点移動５４を提供する。本発明はさらに、シートフレーム１４の側部から等距離で腰部ベルト１０の中心線５６を維持するが、ケーブルを１回引くだけの幾つかの他のストラップ腰部設計では、ストラップの中心線がシートフレーム１４の一方側へとシフトすることがある。
【００１５】
本発明の範囲から逸脱することなく、対応する図に関して上述したように、例示的実施形態には様々な改造が可能であるが、以上の説明に含まれ、添付図面で図示された事柄は全て、制限的ではなく例示的であると解釈されたい。例えば、ブラケット１２およびばね２２を通して腰部ベルトをシートフレーム１４に直接取り付けるのではなく、腰部ベルト１０は、参照により本明細書に組み込まれる米国特許第１１／３９３，４３４号に記載されたような形態のトリムワイヤを通して、シートフレーム１４に間接的に接続することができる。したがって、本発明の幅および範囲は、上述した例示的実施形態のいずれにも制限されず、請求の範囲およびその同等物に従ってのみ規定される。
【図面の簡単な説明】
【００１６】
【図１】本発明の一実施形態の平面図である。
【図２】図１に示した実施形態の収縮位置にある場合の断面図である。
【図３】図１に示した実施形態の伸張位置にある場合の断面図である。
【図４】手動アクチュエータがある図１に示した実施形態の等角図である。
【図５】シートフレームに設置した状態の本発明の等角図である。
【図６】シートフレームに設置した状態で、手動ドライブアクチュエータがある本発明の等角図である。
【図７】一体蝶番の詳細図である。
【図８】パワードライブアクチュエータがある別の実施形態の等角図である。
【図９】シートフレームに設置した状態の図８に示した実施形態の等角図である。
【図１】
2008539994.tif 000003
【図２】
2008539994.tif 000004
【図３】
2008539994.tif 000005
【図４】
2008539994.tif 000006
【図５】
2008539994.tif 000007
【図６】
2008539994.tif 000008
【図７】
2008539994.tif 000009
【図８】
2008539994.tif 000010
【図９】
2008539994.tif 000011
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
収縮位置および伸張位置を有するプラットフォームと、
１対のブラケットと、
前記プラットフォームの対向する側で、それぞれ前記ブラケットを前記プラットフォームに接続する１対の蝶番部とを備え、前記蝶番部がそれぞれブラケット蝶番、プラットフォーム蝶番、および前記ブラケット蝶番と前記プラットフォーム蝶番の間の伸張要素を有し、前記１対の蝶番部は、前記プラットフォームおよび前記１対のブラケットと一体形成された１対の一体蝶番で構成され、前記一対のブラケットおよび前記プラットフォームより高い可撓性を有し、さらに、
前記一対のブラケットを互いに向かって移動させる手段を備え、前記蝶番部が前記ブラケットの対に対して回動し、前記プラットフォームが前記収縮位置から前記伸張位置へと移動する、
シートの腰部支持体。
【請求項２】
前記移動手段が前記ブラケットの対の間に延在するボーデンケーブルで構成され、前記ボーデンケーブルが、前記１対のブラケットの一方に接続された外部被覆と、前記１対のブラケットの他方と接続されたワイヤ芯とを備え、前記ボーデンケーブルが、前記１対のブラケットを相互に向かって引っ張り、前記プラットフォームが前記１対のブラケットから延在し、前記蝶番部が前記プラットフォームおよび前記１対のブラケットに対して回動する、請求項１に記載の腰部支持体。
【請求項３】
前記１対のブラケットの一方に取り付けられたプーリをさらに備え、前記ワイヤ芯が前記プーリに巻き付き、前記プーリを通して前記１対のブラケットの他方に間接的に接続する、請求項２に記載の腰部支持体。
【請求項４】
前記プラットフォームが縦方向に配向されて窪んだ中心通路を備える、請求項１に記載の腰部支持体。
【請求項５】
前記プラットフォームがさらに、前記１対の蝶番部を越えて前記ブラケットに向かって延在する横リブを備える、請求項４に記載の腰部支持体。
【請求項６】
前記１対のブラケットをシートの対向する側にそれぞれ接続する１対のばねをさらに備える、請求項１に記載の腰部支持体。
【請求項７】
前記１対のばねのをシートの対向する側にそれぞれ固定するシートフレームをさらに備える、請求項６に記載の腰部支持体。
【請求項８】
前記プラットフォームが中心線を備え、前記中心線は、前記１対のブラケットが互いに向かって移動して前記プラットフォームが前記１対のブラケットから伸張しても、前記シートフレームの間で実質的に等距離のままである、請求項７に記載の腰部支持体。
【請求項９】
前記１対のばねから縦方向に離間され、前記１対のブラケットをシートの対向する側にそれぞれ接続する別の対のばねをさらに備える、請求項６に記載の腰部支持体。
【請求項１０】
対向する端部を有し、プラットフォーム、前記対向する端部にそれぞれ配置された１対のブラケット、および前記１対のブラケットを前記プラットフォームに接続する１対の一体蝶番を有するベルトを備え、前記一体蝶番がブラケット蝶番、プラットフォーム蝶番、およびその間の伸張要素を含み、さらに、
前記１対のブラケットの間に延在し、前記１対のブラケットの一方に接続された外部被覆、および前記１対のブラケットの他方に接続されたワイヤ芯を備え、前記一体蝶番が前記ブラケットおよび前記プラットフォームに対して回動すると、前記ブラケットの対を互に向かって引っ張り、前記プラットフォームが前記ブラケットの対から延在するボーデンケーブルと、を備える
シートの腰部支持体。
【請求項１１】
前記ベルトの対向する端部にそれぞれ取り付けられた１対のばねをさらに備える、請求項１０に記載の腰部支持体。
【請求項１２】
前記１対のばねの対をシートの対向する側に固定するシートフレームをさらに備える、請求項１１に記載の腰部支持体。
【請求項１３】
前記プラットフォームが中心線を備え、前記中心線は、前記ボーデンケーブルが前記ブラケットの対を互に向かって引っ張り、前記プラットフォームが前記ブラケットの対から延在しても、前記シートフレームの間で実質的に等距離のままである、請求項１２に記載の腰部支持体。
【請求項１４】
対向する端部を有し、それぞれ前記対向する端部に配置された１対のブラケット、前記ブラケットの対の間に延在するプラットフォーム、および前記プラットフォームを前記ブラケットの対に接続する１対の蝶番部を備え、前記蝶番部の対が前記１対のブラケットおよび前記プラットフォームより高い可撓性を有し、さらに前記プラットフォームおよび前記１対のブラケットと一体形成された１対の一体蝶番を有し、前記一体蝶番がそれぞれブラケット蝶番、プラットフォーム蝶番、および前記ブラケット蝶番と前記プラットフォーム蝶番の間の蝶番伸張部を含むベルトと、
それぞれ前記ベルトの前記対向する端部に取り付けられた１対のばねと、
前記ブラケットの対の間に延在し、前記１対のブラケットの一方に接続された外部被覆、および前記１対のブラケットの他方に接続されたワイヤ芯を備え、前記蝶番部が前記プラットフォームおよび前記ブラケットの対に対して回動すると、前記ブラケットの対を相互に向かって引っ張り、前記プラットフォームが前記ブラケットの対から延在するボーデンケーブルと、を備える
シートの腰部支持体。
【請求項１５】
前記１対のばねをシートの対向する側にそれぞれ固定するシートフレームをさらに備える、請求項１４に記載の腰部支持体。
【請求項１６】
前記ベルトが中心線を備え、前記中心線は、前記ボーデンケーブルが前記１対のブラケットを相互に向かって引っ張り、前記プラットフォームが前記１対のブラケットから延在しても、前記シートフレームの間で実質的に等距離のままである、請求項１４に記載の腰部支持体。
【請求項１７】
さらに、前記１対のブラケットの一方に取り付けられたプーリを備え、前記ワイヤ芯が前記プーリに巻き付き、前記プーリを通して前記１対のブラケットの他方と間接的に接続する、請求項１６に記載の腰部支持体。
【国際調査報告】
2008539994.tif 000012
2008539994.tif 000013
2008539994.tif 000014